(57)【要約】      （修正有）【課題】軸心の位置を確定し、開店中の変位を防止できる回転類工芸品を制作する回転台を提供する。【解決手段】台座１を含み、台座の上部に回転座２が設置され、回転座の上部に十字形のスロットが設置され、スロットの上部に台面３が設置され、台面の底部に連結軸４が設置され、連結軸の底部に上述のスロットに接続するコンセント４０１が設置され、台面の上部の軸心の位置に取り付け穴が設置され、取り付け穴は階段状の穴であり、取り付け穴に位置づけ針５が設置され、位置づけ針の底部に取り付け穴に接続するねじの胴部５０１が設置され、ねじの胴部にはカードエッジ５０２が設置され、カードエッジは取り付け穴に接続される。【選択図】図１
0003202523.tif 000002
【実用新案登録請求の範囲】
【請求項１】
回転台において、台座を含み、上述の台座の上部に回転座が設置され、上述の回転座の上部に十字形のスロットが設置され、述のスロットの上部に台面が設置され、上述の台面の底部に連結軸が設置され、上述の連接軸の底部に上述のスロットに接続するコンセントが設置され、上述の台面の上部の軸心の位置に取り付け穴が設置され、上述の取り付け穴は階段状の穴であり、上述の取り付け穴に位置づけ針が設置され、上述の位置づけ針の底部に取り付け穴に接続するねじの胴部が設置され、上述のねじの胴部にはカードエッジが設置され、上述のカードエッジは上述の取り付け穴に接続されることを特徴とする回転台。
【請求項２】
請求項１に記載の回転台において、上述の回転座と上述のコンセントの間にねじが接続されることを特徴とする回転台。
【請求項３】
請求項１に記載の回転台において、上述の台面の上部のアウター位置にリブが設置されることを特徴とする回転台。
【請求項４】
請求項１に記載の回転台において、上述のねじの胴体に防水ガスケットが設置され、上述の防水ガスケットは上述の取り付け穴に接続されることを特徴とする回転台。
【請求項５】
請求項１に記載の回転台において、上述のカードエッジの上の表面と上述の台面の上の表面が同一平面であることを特徴とする回転台。
【考案の詳細な説明】
【技術分野】
【０００１】
本実用新案は一種回転類工芸品を制作する回転台に関連する。
【背景技術】
【０００２】
回転類工芸品を作成際、通常に回転台を使用する必要である。回転台の回転を通じて、工芸品の外部を着色すること、或いは修正することを完成する。現有技術中の回転台は回転する過程にあまり穏やかではなく、工芸品は回転台に変位しやすいから、工芸品に損害を損なう可能で、作り直すことも時間がかかる。
【考案の概要】
【考案が解決しようとする課題】
【０００３】
本実用新案は解決する技術問題は一種回転類工芸品を制作する回転台を提供することである。この装置は位置づけ針を通じて工芸品の軸心の位置を確定することができる。工芸品が回転する過程に変位を避けて、位置づけの信頼性を確保する。その同時に、本装置はスロットとコンセントを通じて、台面の回転をもっと穏やかにして、凸凹を免れる。
【課題を解決するための手段】
【０００４】
上述の問題を解決するため、本実用新案は以下の技術方案を採用する。一種回転類工芸品を制作する回転台である。台座を含まれて、上述の台座のトップに回転座を設置される。上述の回転座のトップに十字形のスロットを設置される。上述のスロットのトップに台面を設置される。上述の台面の底に連結軸を設置される。上述の連接軸の底に上述のスロットに配合するコンセントを設置される。上述の台面のトップに軸心の位置に取り付け穴を設置される。上述の取り付け穴は段階穴である。上述の取り付け穴に位置づけ針を装置される。上述の位置づけ針の底に取り付け穴に配合するねじの胴部を設置される。上述のねじの胴部は位置づけ針に接近する位置にカードエッジを設置される。上述のカードエッジは上述の取り付け穴の階段面に配合する。
【０００５】
優先的な方案として、上述の回転座と上述のコンセントの間にねじを配合される。
【０００６】
優先的な方案として、上述の台面のトップのアウター位置にリブを設置される。
【０００７】
優先的な方案として、上述のねじの胴体に防水ガスケットを設置されて、上述の防水ガスケットは上述の取り付け穴の階段面に配合される。
【０００８】
優先的な方案として、上述のカードエッジの上の表面と上述の台面の上の表面が同一平面である。
【考案の効果】
【０００９】
本実用新案の有益な効果は位置づけ針を通じて工芸品の軸心の位置を確定することができる。工芸品が回転する過程に変位を避けて、位置づけの信頼性を確保する。その同時に、本装置はスロットとコンセントを通じて、台面の回転をもっと穏やかにして、凸凹を免れる。本装置の構築も簡単だし、コストも低いし、普及させるべきだ。
【図面の簡単な説明】
【００１０】
【図１】本実用新案のフロントビューである。
【図２】台面の俯瞰図である。
【考案を実施するための形態】
【００１１】
下記は附図を結合して本実用新案の優先実施例を詳しく述べて、本実用新案のメリットと特徴をもっと容易に本分野の技術員に理解される。そして、本実用新案の保護範囲をより明らかにより明確な範囲を決める。
【００１２】
図1と図2の一種回転類工芸品を制作する回転台を参照して、台座1を含まれて、上述の台座1のトップに回転座2を設置される。上述の回転座2のトップに十字形のスロット(図示しない)を設置される。上述のスロットのトップに台面3を設置される。上述の台面3の底に連結軸4を設置される。上述の連接軸4の底に上述のスロットに配合するコンセント401を設置される。上述の台面3のトップに軸心の位置に取り付け穴301を設置される。上述の取り付け穴301は段階穴である。上述の取り付け穴301に位置づけ針5を装置される。上述の位置づけ針5の底に取り付け穴301に配合するねじの胴部501を設置される。上述のねじの胴部501は位置づけ針5に接近する位置にカードエッジ502を設置される。上述のカードエッジ502は上述の取り付け穴301の階段面に配合する。
【００１３】
本実用新案の中の良い実施例は、上述の回転座2と上述のコンセント401の間にねじ201を配合される。
【００１４】
本実用新案の中の良い実施例は、上述の台面3のトップのアウター位置にリブ311を設置される。
【００１５】
本実用新案の中の良い実施例は、上述のねじの胴体501に防水ガスケット511を設置されて、上述の防水ガスケット511は上述の取り付け穴301の階段面に配合される。
【００１６】
本実用新案の中の良い実施例は、上述のカードエッジ502の上の表面と上述の台面3の上の表面が同一平面である。
【００１７】
本実用新案の有益な効果は位置づけ針を通じて工芸品の軸心の位置を確定することができる。工芸品が回転する過程に変位を避けて、位置づけの信頼性を確保する。その同時に、本装置はスロットとコンセントを通じて、台面の回転をもっと穏やかにして、凸凹を免れる。本装置の構築も簡単だし、コストも低いし、普及させるべきだ。
【００１８】
以上の描写は単なる本実用新案の具体的な実施方式しかない。しかし、本実用新案の保護範囲はそこまで限定されない。どのような創造性の労働をしなく考えた変化や変更でも、本実用新案の保護範囲内に含まれるべきだ。だから、本実用新案の保護範囲は権利要求書に決められる保護範囲を基準とするべきだ。
【符号の説明】
【００１９】
1  台座
2  回転座
3  台面
4  連結軸
【図１】
0003202523.tif 000003
【図２】
0003202523.tif 000004
【手続補正書】
【提出日】平成27年11月25日(2015.11.25)
【手続補正１】
【補正対象書類名】実用新案登録請求の範囲
【補正対象項目名】請求項１
【補正方法】変更
【補正の内容】
【請求項１】
回転台において、台座を含み、上述の台座の上部に回転座が設置され、上述の回転座の上部に十字形のスロットが設置され、上述のスロットの上部に台面が設置され、上述の台面の底部に連結軸が設置され、上述の連結軸の底部に上述のスロットに接続するコンセントが設置され、上述の台面の上部の軸心の位置に取り付け穴が設置され、上述の取り付け穴は階段状の穴であり、上述の取り付け穴に位置づけ針が設置され、上述の位置づけ針の底部に取り付け穴に接続するねじの胴部が設置され、上述のねじの胴部にはカードエッジが設置され、上述のカードエッジは上述の取り付け穴に接続されることを特徴とする回転台。
【手続補正２】
【補正対象書類名】実用新案登録請求の範囲
【補正対象項目名】請求項４
【補正方法】変更
【補正の内容】
【請求項４】
請求項１に記載の回転台において、上述のねじの胴部に防水ガスケットが設置され、上述の防水ガスケットは上述の取り付け穴に接続されることを特徴とする回転台。